(57)【要約】【課題】高精細な画像の表示を可能とする画像表示装置を提供する。【解決手段】本発明の画像表示装置は、第１の方向に並び且つ異なる色をもつ第１及び第２の発光領域と、前記第１の発光領域に対応する第１の電子放出素子であって、表面伝導型放出素子又は横型の電界放出素子であり、且つ、前記第１の方向に関し、前記第２の発光領域から見て前記第１の発光領域よりも遠くに配置されている第１の電子放出素子と、前記第２の発光領域に対応する第２の電子放出素子であって、表面伝導型放出素子又は横型の電界放出素子であり、且つ、前記第１の方向に関し、前記第１の発光領域から見て前記第２の発光領域よりも遠くに配置されている第２の電子放出素子と、前記第１の発光領域の前記第２の発光領域とは反対側に配置されている第１の黒色部材と、前記第１及び第２の発光領域の間に配置されている第２の黒色部材と、を備え、前記第１の方向に関する前記第２の黒色部材の幅は、前記第１の黒色部材の幅より狭い。【選択図】図１０
2008066280.tif 000002
【特許請求の範囲】
【請求項１】
第１の方向に並び且つ異なる色をもつ第１及び第２の発光領域と、
前記第１の発光領域に対応する第１の電子放出素子であって、表面伝導型放出素子又は横型の電界放出素子であり、且つ、前記第１の方向に関し、前記第２の発光領域から見て前記第１の発光領域よりも遠くに配置されている第１の電子放出素子と、
前記第２の発光領域に対応する第２の電子放出素子であって、表面伝導型放出素子又は横型の電界放出素子であり、且つ、前記第１の方向に関し、前記第１の発光領域から見て前記第２の発光領域よりも遠くに配置されている第２の電子放出素子と、
前記第１の発光領域の前記第２の発光領域とは反対側に配置されている第１の黒色部材と、
前記第１及び第２の発光領域の間に配置されている第２の黒色部材と、
を備え、
前記第１の方向に関する前記第２の黒色部材の幅は、前記第１の黒色部材の幅より狭いことを特徴とする画像表示装置。
【請求項２】
第１の方向に並び且つ異なる色をもつ第１及び第２の発光領域と、
前記第１の発光領域に対応する第１の電子放出素子であって、表面伝導型放出素子又は横型の電界放出素子であり、且つ、前記第１の方向に関し、前記第２の発光領域から見て前記第１の発光領域よりも遠くに配置されている第１の電子放出素子と、
前記第２の発光領域に対応する第２の電子放出素子であって、表面伝導型放出素子又は横型の電界放出素子であり、且つ、前記第１の方向に関し、前記第１の発光領域から見て前記第２の発光領域よりも遠くに配置されている第２の電子放出素子と、
前記第１の発光領域の前記第２の発光領域とは反対側に配置されている第１の黒色部材と、
を備え、
前記第１及び第２の発光領域は、黒色部材を挟まずに隣接している
ことを特徴とする画像表示装置。
【請求項３】
前記第１及び第２の発光領域が前記第１の方向に配置されたフェースプレートをさらに備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第１の電子照射領域の重心及び前記第２の電子照射領域の重心は、前記第１の方向に関し、前記第１及び第２の電子放出素子の間の位置にあり、
前記第１の電子照射領域の重心から前記第１の電子放出素子までの距離は、前記第１の電子照射領域の重心から前記第２の電子放出素子までの距離よりも小さい
ことを特徴とする請求項１又は２に記載の画像表示装置。
【請求項４】
フェースプレートと、
前記フェースプレート上に第１の方向に並び且つ異なる色をもつ第１及び第２の発光領域と、
前記第１及び第２の発光領域にそれぞれ対応する第１及び第２の電子放出素子と、
前記第１の発光領域の前記第２の発光領域とは反対側に配置されている第１の黒色部材と、
前記第１及び第２の発光領域の間に配置されている第２の黒色部材と、
を備え、
前記第１の電子放出素子から前記第１の発光領域に向けて放出された電子の照射により
前記フェースプレート上に第１の電子照射領域が形成され、
前記第２の電子放出素子から前記第２の発光領域に向けて放出された電子の照射により前記フェースプレート上に第２の電子照射領域が形成され、
前記第１の電子照射領域における重心と電子密度の重み付けをした重心とは、前記第１の方向に沿って異なる位置にあり、
前記第２の電子照射領域における重心と電子密度の重み付けをした重心とは、前記第１の方向に沿って異なる位置にあり、
前記第１の電子照射領域における電子密度が高い側と、前記第２の電子照射領域の電子密度が高い側とが向かい合っており、
前記第１の方向に関する前記第２の黒色部材の幅は、前記第１の黒色部材の幅より狭いことを特徴とする画像表示装置。
【請求項５】
フェースプレートと、
前記フェースプレート上に第１の方向に並び且つ異なる色をもつ第１及び第２の発光領域と、
前記第１及び第２の発光領域にそれぞれ対応する第１及び第２の電子放出素子と、
前記第１の発光領域の前記第２の発光領域とは反対側に配置されている第１の黒色部材と、
を備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第１の電子照射領域における重心と電子密度の重み付けをした重心とは、前記第１の方向に沿って異なる位置にあり、
前記第２の電子照射領域における重心と電子密度の重み付けをした重心とは、前記第１の方向に沿って異なる位置にあり、
前記第１の電子照射領域における電子密度が高い側と、前記第２の電子照射領域における電子密度が高い側とが向かい合っており、
前記第１及び第２の発光領域は、黒色部材を挟まずに隣接している
ことを特徴とする画像表示装置。
【請求項６】
前記第１の黒色部材は、前記１の電子照射領域と重なりをもつように配置されていることを特徴とする請求項１〜５のいずれかに記載の画像表示装置。
【請求項７】
前記第１及び第２の発光領域からなるペアが、隣接するペア間に他の発光領域を介さずに、前記第１の方向に複数配列されていることを特徴とする請求項１〜６のいずれかに記載の画像表示装置。
【請求項８】
前記第１の黒色部材の前記第２の発光領域とは反対側に配置される第３の発光領域をさらに備え、
前記第１、第２及び第３の発光領域からなるトリオが、隣接するトリオ間に他の発光領域を介さずに、前記第１の方向に複数配列されていることを特徴とする請求項１〜６のいずれかに記載の画像表示装置。
【請求項９】
フェースプレートと、
前記フェースプレート上に環状に並び且つ異なる色をもつ第１、第２及び第３の発光領域と、
前記第１、第２及び第３の発光領域にそれぞれ対応する第１、第２及び第３の電子放出素子と、
前記第１、第２及び第３の発光領域の中心に配置される黒色部材と、
を備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第３の電子放出素子から前記第３の発光領域に向けて放出された電子の照射により前記フェースプレート上に第３の電子照射領域が形成され、
前記第１の電子照射領域における重心と電子密度の重み付けをした重心とは、前記黒色部材を中心とする放射方向に沿って異なる位置にあり、
前記第２の電子照射領域における重心と電子密度の重み付けをした重心とは、前記黒色部材を中心とする放射方向に沿って異なる位置にあり、
前記第３の電子照射領域における重心と電子密度の重み付けをした重心とは、前記黒色部材を中心とする放射方向に沿って異なる位置にあり、
前記第１、第２及び第３の電子照射領域における電子密度が低い側に前記黒色部材が配置されている
ことを特徴とする画像表示装置。
【請求項１０】
前記黒色部材は、前記第１、第２及び第３の電子照射領域と重なりをもつように配置されていることを特徴とする請求項９に記載の画像表示装置。
【発明の詳細な説明】
【技術分野】
【０００１】
本発明は、画像表示装置、特に画像表示装置で用いられるフェースプレートの発光領域及び黒色部材の配置に関する。
【背景技術】
【０００２】
従来から、電子放出素子として、熱陰極素子と冷陰極素子の２種類が知られている。このうち冷陰極素子では、たとえば表面伝導型電子放出素子や、電界放出型素子（ＦＥ型）や、金属／絶縁層／金属型放出素子（ＭＩＭ型）、などが知られている。
【０００３】
図１８は、従来例としての表面伝導型放出素子を用いた表示装置における一対の電子放出素子と蛍光体を示す図である。
【０００４】
図中、蛍光体５は、フェースプレート基板４の内側に塗布されている。導電性膜８、９は、一対の電極６、７に挟まれており、この電極６、７に所定の値以上の電圧を印加することにより、電子放出部１０から電子が放出される。放出された電子は、図に示すような電子軌道１２を描き、蛍光体５に照射される。このとき、放出された電子を加速し、蛍光体５に照射する加速電圧がＶａ［Ｖ］である。また、電子を放出させるために電極６、７に印加する電圧がＶｆ［Ｖ］である。
【０００５】
表面伝導型放出素子においては、導電性膜８、９に接続された電極６、７に電圧を印加し、これにより電子放出する。放出された電子は、印加電圧により形成される電場の影響を受け、電位が高い電極側に偏向されたり、軌道が曲げられたりして、蛍光体５に照射される。そのため、放出された電子のスポットの形状が変形したり、歪んだものとなり、特に円のような軸対称形状のスポットを得るのが困難であった。
【０００６】
従って、表面伝導型放出素子を用いた場合、蛍光体上に現れる電子照射領域（輝点）の形状は、図１８に示す輝点１４のように扇形状となる。扇形状の領域における電子の照射密度は一様ではなく、照射密度の高い領域と低い領域とがある。
【０００７】
特許文献１には、蛍光体の１行を表示する際、上下２行の電子放出部から電子を供給する構成が開示されている。
【０００８】
表面伝導型放出素子を用いて高精細化を実現するために、特許文献２（特開平９−２２６７３号公報）に開示されるように、輝度（電子の照射密度）が低い領域に黒色導電体を配する構成が提案されている。図１９は、特許文献２に開示される構成を示した図である。
【特許文献１】特開平９−１９８００３号公報
【特許文献２】特開平９−２２６７３号公報
【発明の開示】
【発明が解決しようとする課題】
【０００９】
フラットパネルディスプレイにおいては、近年、より高精細の画像表示が求められている。
【００１０】
本発明は、かかる課題に鑑みてなされたもので、高精細な画像の表示を可能とする画像表示装置を提供することを目的とする。
【課題を解決するための手段】
【００１１】
本発明の第１態様における画像表示装置は、かかる課題を解決するため、第１の方向に並び且つ異なる色をもつ第１及び第２の発光領域と、
前記第１の発光領域に対応する第１の電子放出素子であって、表面伝導型放出素子又は横型の電界放出素子であり、且つ、前記第１の方向に関し、前記第２の発光領域から見て前記第１の発光領域よりも遠くに配置されている第１の電子放出素子と、
前記第２の発光領域に対応する第２の電子放出素子であって、表面伝導型放出素子又は横型の電界放出素子であり、且つ、前記第１の方向に関し、前記第１の発光領域から見て前記第２の発光領域よりも遠くに配置されている第２の電子放出素子と、
前記第１の発光領域の前記第２の発光領域とは反対側に配置されている第１の黒色部材と、
前記第１及び第２の発光領域の間に配置されている第２の黒色部材と、
を備え、
前記第１の方向に関する前記第２の黒色部材の幅は、前記第１の黒色部材の幅より狭い。
【００１２】
また、本発明の第２態様における画像表示装置は、第１の方向に並び且つ異なる色をもつ第１及び第２の発光領域と、
前記第１の発光領域に対応する第１の電子放出素子であって、表面伝導型放出素子又は横型の電界放出素子であり、且つ、前記第１の方向に関し、前記第２の発光領域から見て前記第１の発光領域よりも遠くに配置されている第１の電子放出素子と、
前記第２の発光領域に対応する第２の電子放出素子であって、表面伝導型放出素子又は横型の電界放出素子であり、且つ、前記第１の方向に関し、前記第１の発光領域から見て前記第２の発光領域よりも遠くに配置されている第２の電子放出素子と、
前記第１の発光領域の前記第２の発光領域とは反対側に配置されている第１の黒色部材と、
を備え、
前記第１及び第２の発光領域は、黒色部材を挟まずに隣接している。
【００１３】
また、本発明の第３態様における画像表示装置は、フェースプレートと、
前記フェースプレート上に第１の方向に並び且つ異なる色をもつ第１及び第２の発光領域と、
前記第１及び第２の発光領域にそれぞれ対応する第１及び第２の電子放出素子と、
前記第１の発光領域の前記第２の発光領域とは反対側に配置されている第１の黒色部材と、
前記第１及び第２の発光領域の間に配置されている第２の黒色部材と、
を備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第１の電子照射領域における重心と電子密度の重み付けをした重心とは、前記第１の方向に沿って異なる位置にあり、
前記第２の電子照射領域における重心と電子密度の重み付けをした重心とは、前記第１の方向に沿って異なる位置にあり、
前記第１の電子照射領域における電子密度が高い側と、前記第２の電子照射領域の電子密度が高い側とが向かい合っており、
前記第１の方向に関する前記第２の黒色部材の幅は、前記第１の黒色部材の幅より狭い。
【００１４】
また、本発明の第４態様における画像表示装置は、フェースプレートと、
前記フェースプレート上に第１の方向に並び且つ異なる色をもつ第１及び第２の発光領域と、
前記第１及び第２の発光領域にそれぞれ対応する第１及び第２の電子放出素子と、
前記第１の発光領域の前記第２の発光領域とは反対側に配置されている第１の黒色部材と、
を備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第１の電子照射領域における重心と電子密度の重み付けをした重心とは、前記第１の方向に沿って異なる位置にあり、
前記第２の電子照射領域における重心と電子密度の重み付けをした重心とは、前記第１の方向に沿って異なる位置にあり、
前記第１の電子照射領域における電子密度が高い側と、前記第２の電子照射領域における電子密度が高い側とが向かい合っており、
前記第１及び第２の発光領域は、黒色部材を挟まずに隣接している。
【００１５】
また、本発明の第５態様における画像表示装置は、フェースプレートと、
前記フェースプレート上に環状に並び且つ異なる色をもつ第１、第２及び第３の発光領域と、
前記第１、第２及び第３の発光領域にそれぞれ対応する第１、第２及び第３の電子放出素子と、
前記第１、第２及び第３の発光領域の中心に配置される黒色部材と、
を備え、
前記第１の電子放出素子から前記第１の発光領域に向けて放出された電子の照射により前記フェースプレート上に第１の電子照射領域が形成され、
前記第２の電子放出素子から前記第２の発光領域に向けて放出された電子の照射により前記フェースプレート上に第２の電子照射領域が形成され、
前記第３の電子放出素子から前記第３の発光領域に向けて放出された電子の照射により前記フェースプレート上に第３の電子照射領域が形成され、
前記第１の電子照射領域における重心と電子密度の重み付けをした重心とは、前記黒色部材を中心とする放射方向に沿って異なる位置にあり、
前記第２の電子照射領域における重心と電子密度の重み付けをした重心とは、前記黒色部材を中心とする放射方向に沿って異なる位置にあり、
前記第３の電子照射領域における重心と電子密度の重み付けをした重心とは、前記黒色部材を中心とする放射方向に沿って異なる位置にあり、
前記第１、第２及び第３の電子照射領域における電子密度が低い側に前記黒色部材が配置されている。
【発明の効果】
【００１６】
本発明によれば、高精細な画像の表示を可能とする画像表示装置を提供することができる。
【発明を実施するための最良の形態】
【００１７】
本発明の画像表示装置の好ましい実施形態について説明する。
【００１８】
＜第１の実施形態＞
まず、本実施形態に用いられる表面伝導型放出素子から放出される電子の照射領域及び
密度分布について説明を行う。
【００１９】
図１８はリアプレート１に配置される表面伝導型放出素子及びフェースプレート２の模式的な構成図を示す。図において、４はフェースプレート基板、５は発光体、６、７は電極、８、９は導電性膜、１０は電子放出部、１１はリアプレート基板、１２は電子軌道を示す。リアプレート１とフェースプレート２間には所定の加速電圧Ｖａが印加される。電極６、電極７の間には、パルス電圧Ｖｆが印加される。ここで、電極６より電極７に高い電位が与えられる。パルス電圧Ｖｆに応じて、導電性膜８、９の間の電子放出部１０から電子が放出される。発光体５は、電子が照射されて所定の可視光を発色する。電子軌道１２が示すように、表面伝導型放出素子では、マイナス電位からプラス電位に向かって並進した電子軌道を描く。そして、電子軌道の並進方向に沿って、不均一な電子密度分布が発生する。
【００２０】
次に、図１Ａに発光体５表面での電子照射領域１４の例を示す。本発明における電子照射領域とは、電子照射密度（電子密度）の最大値を基準として１％の電子照射密度である輪郭線１００によって囲まれる領域を示すものである。本実施形態においては、このように、電子照射領域１４は、加速電圧Ｖａ及びパルス電圧Ｖｆによって形成される電界により、電子軌道１２の並進方向に対して、扇状に形成される。並進方向に垂直な方向はほぼ対称である。なお、電子照射領域１４に電子が照射された際の発光体５の発光輝度分布は、通常用いられる蛍光体であれば、電子照射領域１４の電子密度分布とほぼ相似の分布形状が得られる。
【００２１】
ここで、電子照射領域１４の電子密度の重み付けをした重心をＣとする。次に、電子密度の重み付けをした重心Ｃを通り、電子軌道の並進方向と平行な線Ｍを定義し、前述の輪郭線１００との交点を端点Ｓ、端点Ｔとする。つまり、電子照射領域の端点とは電子密度の重み付けをした重心Ｃを通り、電子照射領域１４を横切る線に対して、電子照射領域１４が所定の値となる輪郭線１００との交点のことを指す。輪郭線１００の定義は、本実施形態では電子照射領域１４における電子照射密度の最大値を基準として１％の電子照射密度である領域とした。なお、図中の点Ｇは、電子照射領域１４の幾何学的な重心を示したものである。
【００２２】
また、図１Ｂに、線Ｍ上の電子密度の分布を示す。ここで、点Ｓと点Ｃを結ぶ線分を線分Ａ、点Ｃと点Ｔを結ぶ線分を線分Ｂとする。図１Ｂから分かるように、線分Ａの方が線分Ｂより長い。そして、線分Ａに含まれる電子照射密度の分布の方が緩やかな変化をしている。
【００２３】
表面伝導型放出素子を複数個配置し、黒色部材を設けた構成において、画素ピッチを小さくする構成として、図２Ａの配置が考えられる。図２Ａは、本実施形態におけるフェースプレート２及び電子照射領域１８ａ〜１８ｄの構成図である。図２Ａにおいて、３２〜３４は発光体であり、隣接する発光体の色は互いに異なる色である。１７ａ、１７ｂは黒色部材、１８ａ〜１８ｄはそれぞれ電子放出素子１０ａ〜１０ｄから放出された電子が照射される電子照射領域である。
【００２４】
図２Ｂは図２Ａの線Ｎ上の電子密度の分布を示す図である。図１Ａと同様に、電子密度の重心と端点を結ぶ線分を定義する。電子放出素子１０ｂ、１０ｄから放出された電子による電子照射領域１８ｂ、１８ｄに対して線分Ａ、Ｂとする。同様に、電子放出素子１０ａ、１０ｃから放出された電子による電子照射領域１８ａ、１８ｃに対して線分Ａ’，Ｂ’とする。この場合、Ａ＞Ｂ、Ａ’＞Ｂ’の関係がある。
【００２５】
ここで、本実施形態における第１及び第２の電子放出素子について図２Ｃを用いて説明
する。本実施形態においては、電子放出素子１０ａが第１の電子放出素子に、電子放出素子１０ｄが第２の電子放出素子に相当する。第１の電子放出素子１０ａと第２の電子放出素子１０ｄから放出された電子は、それぞれ１２ａ、１２ｄに示すような軌道でフェースプレート２に照射される。
【００２６】
本実施形態においては、発光体３３が「第１の発光領域」に、発光体３４が「第２の発光領域」に相当する（以下、第１の発光体３３、第２の発光体３４と称す。）。これら第１及び第２の発光体３３、３４はフェースプレート２上に並んでおり、且つ、互いに異なる色を有している。第１及び第２の発光体３３、３４の並ぶ方向を「第１の方向」と定義する。なお図２Ａ〜図２Ｃに示す構成では、第１の方向は、線Ｎと実質的に平行であり、また第１及び第２の電子放出素子１０ａ、１０ｄの並ぶ方向とも実質的に一致している。第１の発光体３３に対応する第１の電子放出素子１０ａは、第１の方向に関し、第２の発光体３４から見て第１の発光体３３よりも遠くに配置されている。他方、第２の発光体３４に対応する第２の電子放出素子１０ｄは、第１の方向に関し、第１の発光体３３から見て第２の発光体３４よりも遠くに配置されている。ここで「第１の方向に関し」とは、「第１の方向に沿う直線への正射影を考えた場合に」という意味である。なお、発光体については、発光体（発光領域）の幾何学的な重心の位置を発光体の位置と考える。電子放出素子については、電子放出部（発光体の大きさに比べて十分に小さい）の位置を電子放出素子の位置と考える。
【００２７】
第１の電子放出素子１０ａから第１の発光体３３に向けて放出された電子は、フェースプレート２上に第１の電子照射領域１８ａを形成する。また、第２の電子放出素子１０ｄから第２の発光体３４に向けて放出された電子は、フェースプレート２上に第２の電子照射領域１８ｄを形成する。第１の電子照射領域１８ａの幾何学的な重心である第１の重心Ｇ’、及び、第２の電子照射領域１８ｄの幾何学的な重心である第２の重心Ｇは、第１の方向に関し、第１及び第２の電子放出素子１０ａ、１０ｄの間の位置にある。つまり、図２Ａ〜図２Ｃに示すように、第１の方向に沿う直線Ｎへの正射影を考えた場合に、第１の電子放出素子１０ａ、第１の重心Ｇ’、第２の重心Ｇ、第２の電子放出素子１０ｄの順番で並ぶ。
【００２８】
また、図２Ｃから明らかなように、第１の重心Ｇ’から第１の電子放出素子１０ａまでの距離は、第１の重心Ｇ’から第２の電子放出素子１０ｄまでの距離よりも小さくなっている。
【００２９】
本実施形態では、第１及び第２の発光体３３と３４との間には、黒色部材を配設しない。つまり、第１及び第２の発光体３３、３４は間に何も挟まず直に隣接している。第１の発光体３３の第２の発光体３４とは反対側に黒色部材（本発明の「第１の黒色部材」に相当）１７ａが配置される。黒色部材１７ａは、第１の電子照射領域１８ａの端部と重なりをもつように配設される。また、第２の発光体３４の第１の発光体３３とは反対側に黒色部材１７ｂが配置される。黒色部材１７ｂは、第２の電子照射領域１８ｄの端部と重なりをもつように配設される。
【００３０】
次に、より詳細に本発明の実施形態を説明する。
【００３１】
図３は、マトリクス駆動するためにリアプレート上に配置された表面伝導型放出素子を示したものである。図３において、２０、２１は走査信号配線、２２〜２５は情報信号配線、２６、２７は走査信号素子電極、２８、２９は情報信号素子電極、１０ａ〜１０ｄは表面伝導型放出素子の電子放出部（電子放出素子）である。図中、同様の構成は番号を省略する。不図示であるが、走査信号配線２０、２１と情報信号配線２２〜２５間にはそれらの短絡を防ぐ絶縁層が設けられている。走査信号配線２０、２１に各ラインを選択する
走査信号を印加し、情報信号配線２２〜２５に各画素の表示情報を示す情報信号を印加することで各画素が選択される。そして、走査信号素子電極２６、２７及び情報信号素子電極２８、２９を介して、電子放出部１０ａ〜１０ｄに電圧が印加されて各画素より電子が放出する。電子放出時は情報信号素子電極２８、２９の方が走査信号素子電極２６、２７より高い電位が与えられているものとする。
【００３２】
図４に、図３に示した電子放出素子が設けられたリアプレートと対向して配置されるフェースプレートの構成を示す。図４において、３２〜３４は発光体、３５は黒色部材である。発光体３２〜３４はそれぞれ異なる色の１画素を構成している。本実施形態ではカラー画像表示を行うため、発光体３２〜３４の部分にはＣＲＴの分野で用いられる赤、緑、青の蛍光体を用いた。列方向（Ｙ方向）に同一色の発光体を配置した。
【００３３】
黒色部材３５は、各色発光体間及びＹ方向の各画素間を分離するように配置した。黒色部材３５は、電子を吸収するだけでなく、外光を吸収し表示面の反射を抑制する効果も有している。
【００３４】
本実施形態では、異なる色の発光体３２〜３４間で黒色部材３５が存在する領域と存在しない領域が存在する。黒色部材３５が存在する領域の行方向（Ｘ方向）の幅Ｗ１は５０μｍとした。列方向（Ｙ方向）の幅Ｗ２は３００μｍとした。また、Ｘ方向の発光体３２〜３４の幅Ｗ３は１５０μｍ、Ｙ方向の発光体３２〜３４の幅Ｗ４は３００μｍとした。本実施形態における赤、緑、青１組のＸ方向のピッチは、５２５μｍとなる。
【００３５】
図５に、図３及び図４を重ね合わせ、図３の表面伝導型放出素子から放出された電子により形成される電子照射領域１８ａ〜１８ｄを表示した図を示す。ここで示す電子照射領域１８ａ〜１８ｄは図２の電子照射領域１８ａ〜１８ｄと同等である。Ｃ及びＣ’は各電子照射領域の電子密度の重心位置である。発光体３２〜３４は各々異なる色の発光体を示している。また、図５では図示の関係上１行ずれた位置に符号を付しているが、電子放出素子１０ａ〜１０ｄから放出された電子によって、同一の行に、それぞれ電子照射領域１８ａ〜１８ｄが形成される。ここで電子放出素子１０ａの電子照射領域１８ａは、その隣の電子放出素子１０ｂの鉛直上方に形成され、逆に電子放出素子１０ｂの電子照射領域１８ｂは、電子放出素子１０ａの鉛直上方に形成される。つまり、電子放出素子１０ａと１０ｂから放出された電子の軌道は空間上で交差している。同様に、電子放出素子１０ｃと１０ｄから放出された電子の軌道は空間上で交差している。
【００３６】
電子照射領域１８ａ及び１８ｂの電子密度が低い側は互いに向き合い、かつ、黒色部材３５上で重なっている。同様に、電子照射領域１８ｃ及び１８ｄの電子密度が低い側は互いに向き合い、かつ、黒色部材３５上で重なっている。一方、電子照射領域１８ａと１８ｄに対応する発光体３２と３３の間には黒色部材が存在せず、発光体３２と３３が接している。
【００３７】
本実施形態では、第１の電子照射領域１８ａにおける重心（幾何学的な重心）と電子密度の重み付けをした重心とは、第１の方向（Ｘ方向）に沿って異なる位置にある。また、第２の電子照射領域１８ｄにおける重心（幾何学的な重心）と電子密度の重み付けをした重心とは、第１の方向（Ｘ方向）に沿って異なる位置にある。換言すれば、本実施形態では、第１の電子照射領域１８ａにおける電子密度の重み付けをした重心、及び、第２の電子照射領域１８ｄの電子密度の重み付けをした重心は、電子照射領域１８ａ、１８ｄの幾何学的な重心から各々が近づく方向にずれた位置にある。また、第１の電子照射領域１８ａにおける電子密度が高い側（図２ＢにおけるＢ’の領域に相当）と第２の電子照射領域１８ｄにおける電子密度が高い側（図２ＢにおけるＢの領域に相当）とが向かい合っている。第１の電子照射領域１８ａに対応する第１の発光体３３と、第２の電子照射領域１８
ｄに対応する第２の発光体３４の間には黒色部材を配設しない（図２Ａ参照）。第１の電子照射領域１８ａの電子密度が低い側（図２ＢにおけるＡ’の領域に相当）と第２の電子照射領域１８ｄの電子密度が低い側（図２ＢにおけるＡの領域に相当）にそれぞれ黒色部材１７ａ、１７ｂが配設される（図２Ａ参照）。
【００３８】
このように、電子照射領域１８ａの位置にある発光体３３と電子照射領域１８ｄの位置にある発光体３４との間に黒色部材を配設しないことで、幅Ｗ１分の黒色部材が不要となり、その分画素ピッチを小さくして高精細化が可能となる。
【００３９】
なお、電子照射領域の電子密度分布の測定法としては、ファラデーカップを用いた電子電流測定系が利用出来る。また、前述のように電子密度分布は、蛍光体の発光輝度分布とほぼ相似であるので、蛍光体の発光輝度分布をＣＣＤカメラ等で測定する方法でも良い。特に、蛍光体の発光輝度分布をＣＣＤカメラ等で測定する場合、蛍光体内の電子の散乱が少ない薄膜系の蛍光体を用いることが好ましい。
【００４０】
これまでの説明では、電子放出素子１０ａと１０ｄをそれぞれ第１、第２の電子放出素子として説明してきた。しかし、例えば図５において、電子照射領域１８ｂにある発光体３４と、その左側に隣接する異なる色の発光体３３との間にも黒色部材が不要となる。そのため、図中の電子放出素子１０ｂの３つ左側にある電子放出素子を第１の電子放出素子とした場合、電子放出素子１０ｂは第２の電子放出素子となる。電子放出素子１０ｃを含む他の電子放出素子についても同様である。なお、本実施形態において、第１の電子放出素子に対応する発光体が第１の発光体（発光領域）であり、第２の電子放出素子に対応する発光体が第２の発光体（発光領域）である。
【００４１】
黒色部材が不要となる部分が１箇所でも存在すれば、従来と比較して高精細な画像の表示が可能となる。ただし、より高精細な画像の表示を可能とするためには、第１及び第２の発光体からなるペアが第１の方向（本実施形態では行方向）に他の発光体を介さずに複数配列されることが好ましい。図５の例では、電子放出素子１０ａ、１０ｄに対応する発光体３２、３３からなるペアの左側に、発光体３３、３４のペアが配置され、２つのペアの間には幅Ｗ１の黒色部材のみが配置されている。換言すれば、第１の発光体（例えば、電子照射領域１８ａと１８ｃの位置にある発光体３２と３４）と、第２の発光体（例えば、電子照射領域１８ｂと１８ｄの位置にある発光体３４と３３）とが、第１の方向（本実施形態では行方向）に沿って交互に配設される事が望ましい。
【００４２】
なお、発光体と黒色部材の構成として、図６Ａ〜図６Ｃに示すようないくつかの形態が考えられる。図６Ａ〜図６Ｃにおいて、４はフェースプレート基板、５９〜６４は発光体、６５〜６７は黒色部材である。図６Ａでは、フェースプレート面上において発光体５９、６０と黒色部材６５が重ならないように形成されている。図６Ｂでは、発光体６１、６２が黒色部材６６上にも形成されている。図６Ｃでは、発光体６３、６４上に黒色部材６７が形成されている。いずれの構成もフェースプレート基板４側から観察すると、黒色部材６５〜６７の配設された領域では発光が見えず、発光体５９〜６４が単独で形成されている領域だけの発光が見える。
【００４３】
すなわち、本発明における発光領域とは、図６Ａに示すような場合は、発光体５９、６０が配設される領域そのものである。一方、図６Ｂ、図６Ｃに示すような場合は、発光体６１〜６４が配設される領域そのものではなく、発光体６１〜６４が単独で形成されている領域６１ａ〜６４ａが本発明における発光領域となる。
【００４４】
また、本実施形態では、電子照射領域の電子密度の低い側の端部（以下、「電子照射領域の尾」とよぶ。）がその隣の電子照射領域の尾と互いに重なっており、２つの尾の重な
り部分が黒色部材で覆われている（図２Ａの電子照射領域１８ｂと１８ａを参照。）。しかし、本発明における発光領域及び黒色部材と電子照射領域の位置関係は、これに限られない。例えば、２つの電子照射領域の尾が重なりをもたなくてもよい。また、電子照射領域の尾が黒色部材と重なりをもたない構成（つまり、電子照射領域の全体が発光領域の中に収まる構成）でもよい。逆に図７に示すように、電子照射領域１８、１９の尾の先端が黒色部材１７を超えて、それぞれ隣接の発光体１６、１５まで伸びていることも好ましい。いずれの形態であっても、本発明の作用・効果が得られる。ただし、電子照射領域の尾が重なりをもつほうが（さらにその重なりが大きいほうが）、画素のピッチがより小さくなるので、好ましい。
【００４５】
本実施形態では平面型の表面伝導型放出素子を例にとって説明を行ったが、本発明の電子放出素子はこれに限られるものではない。例えば、垂直型の表面伝導型放出素子や、図８Ａ〜図８Ｃに示す横型の電界放出素子のように、電子放出素子の鉛直上方からずれた位置に電子が放出される素子であっても構わない。同図において、１３０１は負極、１３０２は正極、１３０３は電子放出部、１３０４は基板である。
【００４６】
更には、放出された電子がリアプレート表面で散乱せずにフェースプレートに直接到達するスピント型やＭＩＭ型の電子放出素子であっても構わない。これらの電子放出素子の場合は、原理的に表面伝導型放出素子よりも電子密度分布の不均一性が発生し難い。しかし、実際にはマトリクス駆動のための配線群によって、電子軌道が変化し、不均一性が発生する。そのため、本発明はこのような電子放出素子にも適用することが出来る。
【００４７】
また、本実施形態では電子放出素子から放出された電子が、隣接する電子放出素子の鉛直上方にある発光体を照射する構成としたが、本実施形態はこれに限られるものではない。電子放出素子１０から放出された電子は図１８の電子軌道１２で示す軌道上を進む。この時、電子放出素子の鉛直上方の位置から電子のランディング位置までの距離Ｌｅｆは、次式（１）により算出できる。
Ｌｅｆ＝２×Ｋ×Ｌｈ×ＳＱＲＴ（Ｖｆ／Ｖａ）      （１）
【００４８】
但し、Ｌｈ［ｍ］は、電子放出素子１０と発光体５との距離を示し、Ｋは、電子放出素子１０の種類や形状により決まる定数である。また、ＳＱＲＴ（Ｖｆ／Ｖａ）は、Ｖｆ／Ｖａの平方根を示している。
【００４９】
従って、電子照射領域、発光体、及び黒色部材の配置が本実施形態に示したものになるのであれば、例えば電子放出素子から放出された電子が、２つ隣にある電子放出素子の鉛直上方にある発光体を照射する構成としても本発明の目的を達成することが出来る。
【００５０】
なお、本実施形態及び以下に述べる実施形態や比較の形態では、Ｖａは１０ｋＶ、Ｖｆは１８Ｖ、Ｌｈは１．６ｍｍとした。
【００５１】
＜比較の形態＞
図９Ａ及び図９Ｂは比較の形態として、従来の画像表示装置のフェースプレート（図９Ａ）及びリアプレート（図９Ｂ）を示したものである。図５と同様の構成については同一番号を付した。１８は電子照射領域である。３０は層間絶縁層である。
【００５２】
本比較の形態では、幅Ｗ１の黒色部材３５を各発光体３２〜３４の間に均等に配設した。Ｗ１〜Ｗ４の値は、図４と等しい。図９Ｂから分かるように、走査信号素子電極２６及び情報信号素子電極２８は、Ｘ方向に沿って左から右に走査→情報、走査→情報、…の順に並んでいる。そのため、電子照射領域１８は同一方向を向いている。比較の形態では、赤、緑、青１組のＸ方向のピッチは、６００μｍとなる。
【００５３】
＜第２の実施形態＞
図１０Ａは、本実施形態におけるフェースプレート及び電子照射領域１８ａ〜１８ｄの構成図である。図１０Ａにおいて、図２Ａと同一の構成については同一番号を付した。本実施形態が第１の実施形態と異なるのは、第１の発光体３３と第２の発光体３４との間にも、黒色部材１７ｃ（第２の黒色部材）を配設する点である。しかし、図１０Ａ及び図１１に示すように、黒色部材１７ｃの幅Ｗ５は黒色部材１７ａ及び１７ｂ（第１の黒色部材）の幅Ｗ１より狭くなっている。Ｗ１〜Ｗ４の値は、第１の実施形態と等しくした。Ｗ５は２０μｍとした。本実施形態における赤、緑、青１組のＸ方向のピッチは、５５５μｍとなる。
【００５４】
リアプレートは図３と同様の構成で、情報信号配線２２、２３間に２０μｍの間隔を設ける構成とした。
【００５５】
本実施形態では、第１の電子照射領域１８ａにおける重心（幾何学的な重心）と電子密度の重み付けをした重心とは、第１の方向（Ｘ方向）に沿って異なる位置にある。また、第２の電子照射領域１８ｄにおける重心（幾何学的な重心）と電子密度の重み付けをした重心とは、第１の方向（Ｘ方向）に沿って異なる位置にある。換言すれば、本実施形態では、第１の電子照射領域１８ａの電子密度の重み付けをした重心と、第２の電子照射領域１８ｄの電子密度の重み付けをした重心とが、電子照射領域１８ａ、１８ｄの幾何学的な重心から各々が近づく方向にずれた位置にある。また、第１の電子照射領域１８ａの電子密度が高い側（図１０ＢにおけるＢ’の領域に相当）と第２の電子照射領域１８ｄの電子密度が高い側（図１０ＢにおけるＢの領域に相当）とが向かい合っている。第１の発光体３３の第２の発光体３４とは反対側に第１の黒色部材１７ａが配設され、第１の発光体３３と第２の発光体３４の間には第２の黒色部材１７ｃが配設され、第２の発光体３４の第１の発光体３３とは反対側に第３の黒色部材１７ｂが配設される（図１０Ａ参照）。換言すれば、第１の電子照射領域１８ａの電子密度が低い側（図１０ＢにおけるＡ’の領域に相当）と第２の電子照射領域１８ｄの電子密度が低い側（図１０ＢにおけるＡの領域に相当）にそれぞれ第１の黒色部材１７ａ、第３の黒色部材１７ｂが配設される。そして、図１１に示すように、第１の方向（本実施形態ではＸ方向）に関する第２の黒色部材１７ｃの幅はＷ５、第１及び第３の黒色部材１７ａ、１７ｂの幅Ｗ１より狭くなっている。
【００５６】
このように、第１の発光体３３と第２の発光体３４との間の黒色部材１７ｃの幅Ｗ５を黒色部材１７ａ、１７ｂの幅Ｗ１より狭くすることで、幅Ｗ１−Ｗ５の黒色部材が不要となる。その分画素ピッチを小さくして高精細化が可能となる。
【００５７】
なお、本実施形態では、電子照射領域１８ａの電子密度が高い側（図１０ＢにおけるＢ’の領域に相当）と、電子照射領域１８ｄの電子密度が高い側（図１０ＢにおけるＢの領域に相当）とは重ならない。しかし、本発明はこれに限られない。
【００５８】
例えば、図１２に示すように、電子照射領域１８ａの電子密度が高い側（図１０ＢにおけるＢ’の領域に相当）と、電子照射領域１８ｄの電子密度が高い側（図１０ＢにおけるＢの領域に相当）とが重なり、その重なり部分が黒色部材１７ｃで覆われる構成でもよい。
【００５９】
電子照射領域を黒色部材で覆うことによる輝度低下量は０．５〜５．０％程度の範囲で収めることが好ましい。つまり、電子照射領域１８ａ、１８ｄの全積分量に対して、黒色部材１７ａ、１７ｂ、１７ｃで覆われる部分の電子照射密度の積分量は０．５〜５．０％程度とする。
【００６０】
＜第３の実施形態＞
図１３は、本発明の第３の実施形態のフェースプレート及び電子照射領域の構成図である。図１４は、第３の実施形態のリアプレートの構成図である。上述した実施形態と同様に、電子放出時は情報信号素子電極の方が走査信号素子電極より高い電位が与えられる。Ｘ方向（行方向）には、赤、緑、青の発光体（発光領域）３２〜３４が順番に配置されている。Ｙ方向（列方向）には同一色の発光体が配置されている。本実施形態における赤、緑、青１組のＸ方向のピッチは、５５０μｍとなる。
【００６１】
本実施形態では、発光体３２に形成される電子照射領域の形状と、発光体３３、３４に形成される電子照射領域の形状とが逆向きになっている点である。第１の電子放出素子１０ａは第１の発光体３４に、第２の電子放出素子１０ｄは第２の発光体３２に、第３の電子放出素子１０ｅは第３の発光体３３に、それぞれ電子を照射する。なお、図中の電子放出素子１０ｂ及び１０ｃは不図示の電子放出素子との関係で、それぞれ第３の電子放出素子及び第２の電子放出素子に相当する。
【００６２】
すなわち、本実施形態においては、第１の電子放出素子と第３の電子放出素子から放出された電子は電子放出素子の鉛直上方の位置から図中右方向にずれる。また、第２の電子放出素子から放出された電子は電子放出素子の鉛直上方の位置から図中左方向にずれる。そして、第１、第２、第３の電子放出素子から放出された電子が照射される第１、第２、第３の発光体３４、３２、３３は行方向（Ｘ方向）に沿って順に配設される。本実施形態では第１の発光体３４と第２の発光体３２との間には黒色部材を配設しない。第２の発光体３２と第３の発光体３３との間には幅がＷ１の黒色部材（第１の黒色部材）が配設される。換言すれば、本実施形態では、第１の黒色部材の第２の発光体３２とは反対側に第３の発光体３３が配置される。そして、第１、第２、及び第３の発光体３４、３２、３３のトリオが行方向に他の発光領域を介さずに複数配列されている。
【００６３】
このように、発光体３４と発光体３２との間に黒色部材を配設しないことで、幅Ｗ１分の黒色部材が不要となり、その分画素ピッチを小さくして高精細化が可能となる。また、本実施形態によれば、輝度重心が一定となり、画像表示の均一性が増加する。
【００６４】
なお、本実施形態においては、第１の電子放出素子と第３の電子放出素子から放出された電子は電子放出素子の鉛直上方の位置から図中右方向に、第２の電子放出素子から放出された電子は電子放出素子の鉛直上方の位置から図中左方向にずれる構成とした。しかし、本発明はこれに限られるものではない。すなわち、第１の電子放出素子と第３の電子放出素子から放出された電子は電子放出素子の鉛直上方の位置から図中左方向に、第２の電子放出素子から放出された電子は電子放出素子の鉛直上方の位置から図中右方向にずれる構成であっても構わない。
【００６５】
＜第４の実施形態＞
次に本発明の第４の実施形態を図１５に示す。図において、３８〜４０は発光体、４１は黒色部材、４２〜４４は発光体３８〜４０にそれぞれ対応する電子照射領域である。扇形状の発光体３８〜４０は環状に配置され、それぞれ異なる色の１画素を構成している。図１５の画素配列はいわゆるデルタ配列である。黒色部材４１は３つの発光体３８〜４０の中心に配置される。本実施形態では、３つの電子照射領域４２〜４４の電子密度が低い側の端部（尾）が互いに重なっており、その重なり部分が黒色部材４１で覆われている。図中、Ｘ方向の幅Ｗ６及びＹ方向の幅Ｗ７はそれぞれ４５０μｍ、６００μｍである。
【００６６】
図１５に示すフェースプレートの配置を実現するリアプレートの配置（電子照射領域４２〜４４の１組分）を図１６に示す。図において、４５、４６は走査信号配線、４７〜４９は情報信号配線、５０〜５２は走査信号素子電極、５３〜５５は情報信号素子電極、５
６〜５８はそれぞれ第１〜第３の電子放出素子である。図示しないが、走査信号配線４５、４６と情報信号配線４７〜４９間にはそれらを絶縁する絶縁層が設けられている。基本的な動作に関しては、第１〜第３の実施形態と同様であり説明を省略する。電子放出時は情報信号素子電極５３〜５５が走査信号素子電極５０〜５２より高い電位が与えられる。
【００６７】
本実施形態では、第１の電子放出素子５６から第１の発光部３９に向けて放出された電子の照射により、フェースプレート上に第１の電子照射領域４４が形成される。この第１の電子照射領域４４において、幾何学的な重心と電子密度の重み付けをした重心とは、黒色部材４１を中心とする放射方向に沿って、異なる位置にある。また、第２の電子放出素子５７から第２の発光部４０に向けて放出された電子の照射により第２の電子照射領域４３が形成され、第３の電子放出素子５８から第３の発光部３８に向けて放出された電子の照射により第３の電子照射領域４２が形成される。第２の電子照射領域４３、第３の電子照射領域４２においても同様に、その幾何学的な重心と電子密度の重み付けをした重心は、黒色部材４１を中心とする放射方向に沿って、異なる位置にある。それぞれの電子照射領域における幾何学的な重心と電子密度の重み付けをした重心とを結んだ線は、互いに略１２０度を成す。第１、第２及び第３の電子照射領域４４、４３、４２における電子密度が低い側（図１５において、環状の発光体の中心）に黒色部材４１が配設される。
【００６８】
このように、３つの電子照射領域４２〜４４の電子密度の低い側を重ね、黒色部材４１で覆う構成にすると、画素ピッチをより小さく出来る。
【００６９】
なお、本実施形態で示すように３つの電子照射領域４２〜４４を重ねるだけでなく、電子照射領域の形状によって、４つ以上重ねる構成でも同様の効果が得られることは言うまでもない。
【００７０】
＜表示パネルの構成＞
次に、本発明を適用可能な画像表示装置の表示パネルの構成と製造法について、具体的な例を示して説明する。
【００７１】
図１７は、本実施形態に用いた表示パネルの斜視図であり、内部構造を示すためにパネルの一部を切り欠いて示している。
【００７２】
図１７において、１００５はリアプレート、１００６は側壁、１００７はフェースプレートであり、符号１００５〜１００７により表示パネルの内部を真空に維持するための気密容器を形成している。気密容器を組み立てるにあたっては、各部材の接合部に十分な強度と気密性を保持させるため封着する必要がある。たとえば接着剤としてのフリットガラスを接合部に塗布し、大気中あるいは窒素雰囲気中で、摂氏４００〜５００度で１０分以上焼成することにより、封着を達成した。気密容器内部を真空に排気する方法については後述する。
【００７３】
リアプレート１００５には、基板１００１が固定されている。該基板１００１上には電子源である冷陰極素子１００２がＮ×Ｍ個形成されている。ここで、Ｎ，Ｍは２以上の正の整数であり、目的とする表示画素数に応じて適宜設定される。たとえば、高品位テレビジョンの表示を目的とした表示装置においては、Ｎ＝３０００，Ｍ＝１０００以上の数を設定することが望ましい。本実施形態においては、Ｎ＝３０７２，Ｍ＝１０２４とした。前記Ｎ×Ｍ個の冷陰極素子１００２は、Ｍ本の行方向配線１００３とＮ本の列方向配線１００４により形成された単純マトリクス配線の交点に配されている。
【００７４】
本発明においては、気密容器のリアプレート１００５に電子源の基板１００１を固定する構成としたが、電子源の基板１００１が十分な強度を有するものである場合には、気密
容器のリアプレートとして電子源の基板１００１自体を用いてもよい。
【００７５】
また、フェースプレート１００７の下面に、電子源から電子が照射されることで発光する発光体である蛍光膜１００８とアノード電極であるメタルバック１００９とが形成されて、蛍光板となる。冷陰極素子１００２と対向して蛍光体とメタルバック１００９とが平面状に配されている。本実施形態はカラー表示装置であるため、蛍光膜１００８の部分にはＣＲＴの分野で用いられる赤、緑、青、の３原色の蛍光体が塗り分けられている。各色の蛍光体は、ストライプ状に塗り分けられ、蛍光体のストライプの間には黒色部材が設けてある。黒色部材を設ける目的は、電子ビームの照射位置に多少のずれがあっても表示色にずれが生じないようにする事や、外光の反射を防止して表示コントラストの低下を防ぐ事、電子ビームによる蛍光膜のチャージアップを防止する事などである。黒色部材には、黒鉛を主成分として用いたが、上記の目的に適するものであればこれ以外の材料を用いても良い。
【００７６】
また、３原色の蛍光体の塗り分け方はストライプ状の配列に限られるものではなく、デルタ状配列や、それ以外の配列であってもよい。
【００７７】
また、蛍光膜１００８のリアプレート側の面には、ＣＲＴの分野では公知のメタルバック１００９を設けてある。メタルバック１００９を設けた目的は、蛍光膜１００８が発する光の一部を鏡面反射して光利用率を向上させる事や、電子ビームと共に発生する負イオンの衝突から蛍光膜１００８を保護する事や、電子ビーム加速電圧を印加するための電極として作用させる事や、蛍光膜１００８を励起した電子の導電路として作用させる事などである。メタルバック１００９は、蛍光膜１００８をフェースプレート基板１００７上に形成した後、蛍光膜表面を平滑化処理し、その上にＡｌを真空蒸着する方法により形成した。なお、蛍光膜１００８に低電圧用の蛍光体材料を用いた場合には、メタルバック１００９は用いない。
【００７８】
また、本実施形態では用いなかったが、加速電圧の印加用や蛍光膜の導電性向上を目的として、フェースプレート基板１００７と蛍光膜１００８との間に、たとえば透明電極ＩＴＯ等を材料とする透明電極を設けてもよい。
【００７９】
また、Ｄｘ１〜ＤｘｍおよびＤｙ１〜ＤｙｎおよびＨｖは、当該表示パネルと不図示の電気回路とを電気的に接続するために設けた気密構造の電気接続用端子である。Ｄｘ１〜Ｄｘｍは電子源の行方向配線１００３と、Ｄｙ１〜Ｄｙｎは電子源の列方向配線１００４と、Ｈｖはフェースプレートのメタルバック１００９と電気的に接続している。
【００８０】
また、気密容器内部を真空に排気するには、気密容器を組み立てた後、不図示の排気管と真空ポンプとを接続し、気密容器内を１０のマイナス７乗［Ｔｏｒｒ］程度の真空度まで排気する。その後、排気管を封止するが、気密容器内の真空度を維持するために、封止の直前あるいは封止後に気密容器内の所定の位置にゲッター膜（不図示）を形成する。ゲッター膜とは、たとえばＢａを主成分とするゲッター材料をヒーターもしくは高周波加熱により加熱し蒸着して形成した膜であり、該ゲッター膜の吸着作用により気密容器内は１×１０マイナス５乗ないしは１×１０マイナス７乗［Ｔｏｒｒ］の真空度に維持される。
【００８１】
なおゲッター材料を加熱する工程は、封止後に真空度が劣化している時にはその都度行うことがある。
【図面の簡単な説明】
【００８２】
【図１】図１Ａは発光体表面における電子照射領域を表した図であり、図１Ｂは線Ｍに沿った電子密度分布を表した図である。
【図２】図２Ａは第１の実施形態における発光体と黒色部材と電子照射領域の位置関係を表した図であり、図２Ｂは線Ｎに沿った電子密度分布を表した図であり、図２Ｃは電子放出素子と電子軌道を表した図である。
【図３】図３は第１の実施形態におけるリアプレートの構成を表した図である。
【図４】図４は第１の実施形態におけるフェースプレートの構成を表した図である。
【図５】図５は第１の実施形態におけるリアプレートとフェースプレートの構成を表した図である。
【図６】図６Ａ〜図６Ｃは本発明における発光体と黒色部材の構成を表した図である。
【図７】図７は第１の実施形態に含まれる発光体と黒色部材と電子照射領域の位置関係を表した図である。
【図８】図８Ａ〜図８Ｃは横型の電界放出素子を表した図である。
【図９】図９Ａは比較の形態におけるフェースプレートの構成を表した図であり、図９Ｂはリアプレートの構成を表した図である。
【図１０】図１０Ａは第２の実施形態における発光体と黒色部材と電子照射領域の位置関係を表した図であり、図１０Ｂは線Ｎに沿った電子密度分布を表した図であり、図１０Ｃは電子放出素子と電子軌道を表した図である。
【図１１】図１１は第２の実施形態におけるフェースプレートの構成を表した図である。
【図１２】図１２は第２の実施形態に含まれる発光体と黒色部材と電子照射領域の位置関係を表した図である。
【図１３】図１３は第３の実施形態におけるフェースプレートの構成を表した図である。
【図１４】図１４は第３の実施形態におけるリアプレートの構成を表した図である。
【図１５】図１５は第４の実施形態におけるフェースプレートの構成を表した図である。
【図１６】図１６は第４の実施形態におけるリアプレートの構成を表した図である。
【図１７】図１７は本発明を適用可能な画像表示装置の表示パネルの斜視図である。
【図１８】図１８は従来例としての電子放出素子と蛍光体を表した図である。
【図１９】図１９は従来の蛍光体上の輝度の分布を表した図である。
【符号の説明】
【００８３】
１  リアプレート
２  フェースプレート
１０ａ〜１０ｄ  電子放出素子
１７ａ〜１７ｃ  黒色部材
１８ａ〜１８ｄ  電子照射領域
３２〜３４  発光体
Ｃ  電子密度の重み付けをした重心
Ｇ、Ｇ’  電子照射領域の重心
【図１】
2008066280.tif 000003
【図２】
2008066280.tif 000004
【図３】
2008066280.tif 000005
【図４】
2008066280.tif 000006
【図５】
2008066280.tif 000007
【図６】
2008066280.tif 000008
【図７】
2008066280.tif 000009
【図８】
2008066280.tif 000010
【図９】
2008066280.tif 000011
【図１０】
2008066280.tif 000012
【図１１】
2008066280.tif 000013
【図１２】
2008066280.tif 000014
【図１３】
2008066280.tif 000015
【図１４】
2008066280.tif 000016
【図１５】
2008066280.tif 000017
【図１６】
2008066280.tif 000018
【図１７】
2008066280.tif 000019
【図１８】
2008066280.tif 000020
【図１９】
2008066280.tif 000021